(57)【特許請求の範囲】
【請求項１】
外部媒体と通信機器との間で通信が行われる通信システムで用いられる信号検出装置であって、前記信号検出装置は、
前記通信機器から入力された送信信号を減衰させて電磁波として前記外部媒体に放射する第１のインタフェースと、
前記外部媒体との間で電磁波を送受信する第２のインタフェースと、
前記送信信号を前記第１のインタフェースに入力されるように接続した場合に、前記第１のインタフェースから放射された前記送信信号が前記外部媒体を経由して前記第２のインタフェースで電磁波として受信された場合には、前記送信信号が前記第２のインタフェースに入力されるように接続するスイッチと、
前記第２のインタフェースと前記外部媒体との接触状態に対応する状態を検出する検出手段と、を備え、
前記検出手段が前記第２のインタフェースと前記外部媒体とが接触していない状態を検出した場合には、前記スイッチは前記送信信号を前記第２のインタフェースに入力しない、
ことを特徴とする信号検出装置。
【請求項２】
前記電磁波を受信した前記第２のインタフェースが出力する信号を整流する整流回路と、前記整流回路の出力を基準振幅と比較可能な振幅に増幅する増幅回路と、前記増幅回路の出力と前記基準振幅との比較結果に基づいて前記スイッチを制御する比較回路と、を備え、
前記比較回路は、前記増幅回路の出力が前記基準振幅を越えた場合には前記スイッチが前記送信信号を前記第２のインタフェースに入力されるように接続する、請求項１に記載された信号検出装置。
【請求項３】
送信信号を出力する通信機器と、前記送信信号を含む電磁波を伝搬させる外部媒体と、請求項１又は２に記載された信号検出装置と、を備える通信システム。
【請求項４】
前記外部媒体は２次元通信で用いられる通信シートである、請求項３に記載された通信システム。
【請求項５】
外部媒体と通信機器との間で通信が行われる通信システムで用いられる信号検出方法であって、前記信号検出方法は、
前記通信機器から入力された送信信号を減衰させて電磁波として第１のインタフェースから前記外部媒体に放射し、
前記第１のインタフェースから放射された前記送信信号が前記外部媒体を経由して前記外部媒体との間で電磁波を送受信する第２のインタフェースで電磁波として受信された場合には、前記第２のインタフェースに前記送信信号を入力し、
前記第２のインタフェースと前記外部媒体との接触状態に対応する状態を検出し、前記接触状態に対応する状態が前記第２のインタフェースと前記外部媒体とが接触していない状態を示す場合には、前記送信信号を前記第２のインタフェースに入力しない、
ことを特徴とする信号検出方法。
【発明の詳細な説明】
【技術分野】
【０００１】
本発明は、信号検出装置、通信システム及び信号検出方法に関し、特に、電磁波の伝搬機能を備える通信シートを用いて通信機器間の通信を行う２次元通信システムで用いられる信号検出装置、通信システム及び信号検出方法に関する。
【背景技術】
【０００２】
近接カプラが接続された通信機器と通信シートとを用いた２次元通信システムが知られている。通信シートは、電磁波の伝搬機能を備えたシート状の伝送媒体である。近接カプラは、通信シートに対する通信機器のインタフェースに相当する。近接カプラは、電磁波の放射面が通信シートと接触するように配置される。そして、近接カプラは通信機器から入力された高周波信号を電磁波として通信シートに送信（放射）する。また、近接カプラは、通信シートを伝搬してきた他の通信機器からの電磁波を受信して高周波信号として通信機器に入力する。このように、通信シートを用いた２次元通信は、近接カプラと通信シートとが接触した状態で実行される。
【０００３】
本発明に関連して、特許文献１は、通信シートを介して複数の通信装置が通信する２次元通信システムの構成を開示している。特許文献１に記載された２次元通信システムでは、通信装置は電磁波を放射するコネクタ（近接カプラ）を通信シートに接触させ、ディジタル信号で変調された電磁波を通信シートを介して伝搬させる。通信先の通信装置は、通信シートを伝搬した電磁波を検出して、ディジタル信号を復調する。
【０００４】
また、特許文献２は、クレードル及び携帯端末の双方が非接触給電モジュール及び非接触通信回路を備えた給電装置の構成を記載している。クレードルは、携帯端末がクレードルに設置されたことを検出すると、携帯端末への非接触給電を開始する。そしてクレードルに備えられた非接触通信回路が携帯端末の非接触通信回路からの応答信号を受信できる場合はクレードルは非接触給電を維持し、当該応答信号を受信できない場合はクレードルは非接触給電を停止する。
【先行技術文献】
【特許文献】
【０００５】
【特許文献１】特開２００９−０５５３７９
【特許文献２】特開２０１１−１６０５４７
【発明の概要】
【発明が解決しようとする課題】
【０００６】
２次元通信システムにおいて、近接カプラが通信シートに接触している状態では、近接カプラが放射する電磁波の大部分は通信シートを介して伝搬する。しかしながら、何らかの理由により近接カプラが通信シートと接触していない状態で近接カプラに高周波信号が入力されると、近接カプラの周囲の空間にも電磁波が放射されてしまう。空間に放射された電磁波のエネルギー密度は小さいため、他の近接カプラで空間に放射された電磁波を受信して通信を行うことはできない。すなわち、現在知られている２次元通信システムには、近接カプラが通信シートと接触していない状態でも電磁波が放射されるため、電磁波のエネルギーが有効に利用されない場合があるという課題があった。さらに、現在知られている２次元通信システムには、空間に放射された電磁波が周囲の他の２次元通信や電子機器に影響を与える恐れもあるという課題もあった。従って、２次元通信システムには、近接カプラと２次元通信シートとが接触していない場合には周囲への電磁波の放射を抑制できることが求められる。
【０００７】
特許文献１は２次元通信システムの構成を開示している。しかし、近接カプラが２次元通信シートと接触していない状態における電磁波の放射を抑制するという課題を解決するための構成についての記載はない。
【０００８】
一方、特許文献２は、携帯端末とクレードルとの間で非接触通信が可能でない場合には電磁波による非接触給電を停止することにより、クレードルが給電対象物でないものに給電を行うことを防止する構成を開示している。しかしながら、特許文献２は、２次元通信システムにおいて、近接カプラが２次元通信シートと接触していない状態における電磁波の放射を抑制するという課題を解決するための構成についての記載はない。
【０００９】
本発明の目的は、通信システムにおいて、不要な電磁波の放射を抑制するための技術を提供することにある。
【課題を解決するための手段】
【００１０】
本発明の信号検出装置は、入力された送信信号を減衰させて電磁波として外部媒体に放射する第１のインタフェースと、外部媒体との間で電磁波を送受信する第２のインタフェースと、送信信号を第１のインタフェースに入力されるように接続した場合に、第１のインタフェースから放射された送信信号が外部媒体を経由して第２のインタフェースで電磁波として受信された場合には、送信信号が第２のインタフェースに入力されるように接続するスイッチと、を備える。
【００１１】
本発明の信号検出方法は、入力された送信信号を減衰させて電磁波として第1のインタフェースから外部媒体に放射し、送信信号を第１のインタフェースに入力されるように接続し、第１のインタフェースから放射された送信信号が外部媒体を経由して外部媒体との間で電磁波を送受信する第２のインタフェースで電磁波として受信された場合には、第２のインタフェースに送信信号を入力する。
【発明の効果】
【００１２】
本発明は、通信システムにおいて、簡易な構成で不要な電磁波の放射を低減することを可能にするという効果を奏する。
【図面の簡単な説明】
【００１３】
【図１】第１の実施形態の２次元通信システムの構成を示す図である。
【図２】第１の実施形態の２次元通信システムの各部の信号の電圧波形を示す図である。
【図３】第２の実施形態の信号検出装置の構成を示す図である。
【発明を実施するための形態】
【００１４】
（第１の実施形態）
本発明の実施の形態について図面を参照して詳細に説明する。図１は、本発明の第１の実施形態の２次元通信システム４００の構成を示す図である。２次元通信システム４００は、通信機器４５１、信号検出装置４０１及び通信シート４４１を備える。
【００１５】
信号検出装置４０１は、結合信号切替スイッチ４１１、アッテネータ４１２、結合装置４１３、整流回路４１４、増幅回路４１５、比較回路４１６、プッシュスイッチ４１７、高周波信号切替スイッチ４２１及び近接カプラ４３１を備える。
【００１６】
結合信号切替スイッチ４１１は、比較回路４１６の比較結果信号（検出信号）ＴＲＧの振幅がＬｏｗレベル（ＴＲＧ＝Ｌｏｗ）ならば通信機器４５１からの高周波信号ＲＦｉｎがアッテネータ４１２に入力されるように回路を接続する。結合信号切替スイッチ４１１は、検出信号ＴＲＧの振幅がＨｉレベル（ＴＲＧ＝Ｈｉ）ならば、終端抵抗Ｒがアッテネータ４１２に接続されるように回路を接続する。
【００１７】
アッテネータ４１２は減衰器であり、ＴＲＧ＝Ｌｏｗの場合に通信機器４５１から入力される高周波信号ＲＦｉｎの振幅を減衰させる。アッテネータ４１２により、後段の結合装置４１３から空中へ放射される際の電磁波の強度が低下する。高周波信号ＲＦｉｎが減衰された後の信号を結合信号ＲＦｃｐｌとする。結合信号ＲＦｃｐｌは、結合装置４１３から外部に電磁波として放射される。高周波信号ＲＦｉｎは、結合信号ＲＦｃｐｌが通信シート４３１を介して近接カプラで受信可能な範囲でアッテネータ４１２で減衰を受ける。
【００１８】
結合装置４１３は、交流結合により、結合信号ＲＦｃｐｌを通信シート４４１へ伝達する。結合装置４１３としては、例えば、近接カプラ４３１と同様のカプラや、終端抵抗を持たない同軸ケーブルなどを用いることができる。
【００１９】
近接カプラ４３１は、通信機器４５１が通信シート４４１を経由して他の通信機器と２次元通信を行うためのインタフェースである。近接カプラは、一般に誘電体と金属とで構成される。近接カプラは通信シートと密着して使用され、通信シート内を伝搬する電磁波を検出して電気信号として出力し、あるいは入力された電気信号を電磁波として通信シート内に伝搬させる。
【００２０】
結合装置４１３から放射された結合信号ＲＦｃｐｌは通信シート４４１を伝搬して近接カプラ４３１で受信される。結合装置４１３と近接カプラ４３１とを比較的近い位置に配置することで、アッテネータ４１２で減衰を受けた結合信号ＲＦｃｐｌを近接カプラ４３１で検出することができる。
【００２１】
高周波信号ＲＦｏｕｔは、近接カプラ４３１との間で入出力される信号を示す。近接カプラ４３１が通信シート４４１から信号を受信する場合は、高周波信号ＲＦｏｕｔは近接カプラ４３１が出力する受信信号を示す。
【００２２】
整流回路４１４は、近接カプラ４３１が受信した高周波信号ＲＦｏｕｔを整流ダイオードとコンデンサを用いて整流して直流に変換する。整流後の信号を整流信号ＤＣｃｐｌとする。整流信号ＤＣｃｐｌの振幅の初期値は近接カプラ４３１の受信強度に比例する。また、整流回路４１４のコンデンサは、近接カプラ４３１から整流回路４１４へ結合信号ＲＦｃｐｌが継続して入力される場合は、コンデンサのチャージ機能によりＤＣｃｐｌの振幅が次第に増大するように配置される。
【００２３】
増幅回路４１５は、整流信号ＤＣｃｐｌの電圧を後段の比較回路４１６のリファレンス電圧Ｖｒｅｆと比較可能なレベルまで増幅する。増幅回路４１５で増幅された整流信号を増幅信号ＤＣａｍｐとする。
【００２４】
加算回路４１８は、入力された信号の電圧が加算された電圧を出力する。すなわち、加算回路４１８は、増幅信号ＤＣａｍｐの電圧と、プッシュスイッチ４１７を介して帰還された比較回路４１６の出力である検出信号ＴＲＧの電圧と、を加算した電圧を比較回路４１６へ出力する。加算回路４１８が出力する加算後の信号を加算信号ＤＣａｄｄとする。
【００２５】
比較回路４１６は、加算信号ＤＣａｄｄの電圧とリファレンス電圧Ｖｒｅｆを比較し、その結果に応じて２値信号である検出信号ＴＲＧを出力する。ＤＣａｄｄ＞ＶｒｅｆならばＴＲＧの振幅はＨｉ（高レベル）となり、ＤＣａｄｄ≦ＶｒｅｆならばＴＲＧの振幅はＬｏｗ（低レベル）となる。検出信号ＴＲＧは、結合信号切替スイッチ４１１及び高周波信号切替スイッチ４２１の切替トリガとして使用される。
【００２６】
プッシュスイッチ４１７は、比較回路４１６の出力と加算回路４１７とを接続する経路の途中に設けられたスイッチである。プッシュスイッチ４１７のボタンは近接カプラ４３１及び結合装置４１３が物体に接触すると押下されるように構成される。例えば、近接カプラ４３１及び結合装置４１３を同一平面上に固定して配置し、近接カプラ４３１及び結合装置４１３が通信シート等の物体に接触すると当該平面から突出したプッシュスイッチ４１７のボタンが押下されるような構造でもよい。
【００２７】
プッシュスイッチ４１７のボタンが押されていない状態では、比較回路４１６の出力は接地される。この状態では、検出信号ＴＲＧの振幅は比較回路４１６の入力信号の振幅によらずＬｏｗに固定される。プッシュスイッチ４１７のボタンが押された状態では、比較回路４１６の出力は加算回路４１８に入力される。
【００２８】
高周波信号切替スイッチ４２１は、先に説明した結合信号切替スイッチ４１１と連動して近接カプラ４３１の接続先を切り替える。具体的には、高周波信号切替スイッチ４２１は、検出信号ＴＲＧがＬｏｗ（ＴＲＧ＝Ｌｏｗ）ならば近接カプラ４３１を整流回路４１４と接続し、ＴＲＧがＨｉ（ＴＲＧ＝Ｈｉ）ならば近接カプラ４３１と通信機器４５１とを接続する。なお、ここで検出信号ＴＲＧがＨｉである時の電圧はＶｒｅｆよりも大きいものとする。
【００２９】
ＴＲＧ＝Ｌｏｗの場合は、近接カプラ４３１が通信シート４４１から受信した高周波信号ＲＦｏｕｔが整流回路４１４で整流信号ＤＣｃｐｌに変換される。この場合、高周波信号ＲＦｏｕｔは、結合信号ＲＦｃｐｌを近接カプラ４３１が受信した信号である。整流信号ＤＣｃｐｌは、増幅回路４１５で増幅され、加算回路４１８を経由して加算信号ＤＣａｄｄとして比較回路４１６に入力される。
【００３０】
ＴＲＧ＝Ｈｉの場合は、通信機器４５１が出力する高周波信号ＲＦｉｎが近接カプラ４３１に入力され、通信シート４４１を介して他の通信装置との通信が行われる。この場合、高周波信号ＲＦｏｕｔは通信機器４５１が出力する高周波信号ＲＦｉｎである。
【００３１】
２次元通信システム４００の動作の概要をまず説明する。２次元通信システム４００において、通信シート４４１内を通信のための電磁波が伝搬している状態を考える。この状態では、近接カプラ４３１を通信シート４４１に接触させた場合に近接カプラ４３１が受信する電磁波の受信強度は、近接カプラ４３１が通信シート４４１と接触していない場合の受信強度よりも大きい。また、近接カプラ４３１が受信する電磁波の受信強度は、近接カプラ４３１が通信シート４４１以外の物体と接触している場合の受信強度よりも大きい。なぜならば、近接カプラ４３１が通信シートと接触していない場合には近接カプラは通信シートの内部を伝搬する信号を検出できず、また、通信シート以外の媒体の電磁波の伝搬効率は一般に通信シートの伝搬効率よりも低いからである。
【００３２】
第１の実施形態の２次元通信システム４００では、結合装置４１３から放射された信号の近接カプラ４３１における受信信号強度の違いを利用して、近接カプラ４３１が通信シート４４１と接触しているか否かを判別する。そして、その判別結果をもとに通信機器４５１を近接カプラ４３１と接続して通信を行うかどうかが制御される。例えば、近接カプラ４３１が通信シート４４１以外の物体に接触している場合の近接カプラ４３１の受信電力は、通信シート４４１と接触して電磁波を受信する場合と比較して小さい。従って、近接カプラ４３１の受信電力が小さい場合には近接カプラ４３１が通信シート４４１と接触していないと判断し、通信機器４５１の出力が近接カプラ４３１から放射されないように制御することが可能となる。
【００３３】
図１に示した２次元通信システム４００の詳細な動作を、図２を用いて説明する。  図２は、２次元通信システム４００の各部の信号の電圧波形を示す図である。
【００３４】
図２の（１）は、通信機器４５１が出力する高周波信号ＲＦｉｎの波形を示す。図２の（２）は、比較回路４１６の出力である検出信号ＴＲＧの波形を示す。図２の（３）はアッテネータ４１２の出力である結合信号ＲＦｃｐｌの波形を示す。図２の（４）は、近接カプラ４３１に入出力される高周波信号ＲＦｏｕｔの波形を示す。図２の（５）は、整流回路４１４の出力である整流信号ＤＣｃｐｌの波形を示す。図２の（６）は、増幅回路４１５の出力信号である増幅信号ＤＣａｍｐの波形を示す。図２の（７）は、加算回路４１８の出力信号である加算信号ＤＣａｄｄの波形を示す。
【００３５】
図２では、はじめに時刻ｔ＝ｔ０よりも前の時点において、近接カプラ４３１と結合装置４１３とはいずれも通信シート４４１に接触していないものとする。この場合、プッシュスイッチ４１７のボタンは通信シート４４１により押下されていないので、比較回路４１６の出力は、プッシュスイッチ４１７により接地電位に固定されている。すなわち、比較回路４１６の出力である検出信号ＴＲＧはＴＲＧ＝Ｌｏｗとなる。その結果、通信機器４５１が出力する高周波信号はアッテネータ４１２を経由して結合信号ＲＦｃｐｌとして結合装置４１３から放射される。しかしながら、この時点では結合装置４１３及び近接カプラ４３１は通信シートから離れているので、近接カプラ４３１は結合信号ＲＦｃｐｌを通信シートから受信することができない。
【００３６】
次に、時刻ｔ＝ｔ０の時点において、近接カプラ４３１及び結合装置４１３が通信シート４４１に接触する。このとき、結合装置４１３は通信シート４４１と交流的に結合する。すなわち、結合信号ＲＦｃｐｌが電磁波として結合装置４１３から通信シート４４１へ送信される。また、通信シート４４１とプッシュスイッチ４１７との接触によりプッシュスイッチ４１７のボタンが押下されることにより、比較回路４１６の出力の接続先が接地電位から加算回路４１８に切り替わる。
【００３７】
時刻ｔがｔ０＜ｔ＜ｔ１の間は、結合装置４１３から通信シート４４１を伝搬した結合信号ＲＦｃｐｌが近接カプラ４３１で受信される。このとき近接カプラ４３１が出力する高周波信号ＲＦｏｕｔは、アッテネータ４１２から出力された後、結合装置４１３、通信シート４４１及び近接カプラ４３１の通過損失の和だけ減衰した結合信号ＲＦｃｐｌである。近接カプラ４３１は高周波信号切替スイッチ４２１にて整流回路４１４側と接続されている。このため、整流信号ＤＣｃｐｌは整流回路４１４内のコンデンサに充電され、整流信号ＤＣｃｐｌの電圧は時間とともに上昇する。整流信号ＤＣｃｐｌの電圧の上昇に伴い増幅回路４１５の出力である増幅信号ＤＣａｍｐの電圧振幅も上昇する。そして加算回路４１８は増幅信号ＤＣａｍｐに比較回路４１６の出力信号である検出信号ＴＲＧの電圧を加算して、加算信号ＤＣａｄｄとして出力する。この期間では、検出信号ＴＲＧは加算回路４１８に接続されているが、ＤＣａｄｄ≦Ｖｒｅｆであるので検出信号ＴＲＧはＴＲＧ＝Ｌｏｗであり、加算信号ＤＣａｄｄの電圧は増幅信号ＤＣａｍｐの電圧とほぼ等しい。
【００３８】
次に時刻ｔ＝ｔ１の時点にて、比較回路４１６の入力においてＤＣａｄｄ＞Ｖｒｅｆとなったものとする。このとき検出信号ＴＲＧがＴＲＧ＝ＬｏｗからＴＲＧ＝Ｈｉに変化する。その結果、高周波信号切替スイッチ４２１において、近接カプラ４３１の接続先がＴＲＧ＝Ｌｏｗの場合の整流回路４１４から、ＴＲＧ＝Ｈｉの場合の通信機器４５１へ切り替わり、通信機器４５１と近接カプラ４３１とが接続される。またこのときプッシュスイッチ４１７のボタンは押されたままの状態であるので、ＴＲＧ＝Ｈｉの電圧が加算回路４１８へ入力される。その結果、増幅信号ＤＣａｍｐと検出信号ＴＲＧのＨｉ電圧が加算された振幅の信号が加算信号ＤＣａｄｄとして加算回路４１８から出力される。検出信号ＴＲＧがＬｏｗからＨｉに変化した瞬間には、ＤＣａｄｄの振幅は検出信号ＴＲＧのＨｉとＬｏｗとの電位差だけ上昇する。
【００３９】
時刻ｔがｔ１＜ｔ＜ｔ２の間では、高周波信号切替スイッチ４２１によって近接カプラ４３１は通信機器４５１側に接続される。一方、整流回路４１４は近接カプラ４３１から切り離されるため、整流回路４１４へ入力される信号の電圧は０Ｖとなる。その結果、整流回路４１４のコンデンサの放電に伴い増幅信号ＤＣａｍｐの電圧は０Ｖに向かって次第に減少する。ここで、検出信号ＴＲＧは引き続きＴＲＧ＝Ｈｉであり、その振幅が加算回路４１８に入力されて加算信号ＤＣａｄｄとなる。このため、加算信号ＤＣａｄｄの電圧は検出信号ＴＲＧがＨｉの場合の電圧まで減少する（時刻ｔ＝ｔ２）。しかしながら、検出信号ＴＲＧがＨｉの場合の電圧はＶｒｅｆより大きいため時刻ｔ＝ｔ２においても比較回路４１６の出力論理は変化せず、検出信号ＴＲＧの振幅はＨｉのまま維持される。
【００４０】
次に時刻ｔ＝ｔ２の時点では上記のようにＴＲＧ＝Ｈｉであるため、時刻ｔ＝ｔ２以降の状態はｔ＝ｔ３まで維持される。
【００４１】
時刻ｔ＝ｔ３の時点にて、近接カプラ４３１と結合装置４１３が通信シート４４１から離れたものとする。このとき通信シート４４１によるプッシュスイッチ４１７のボタンの押下状態も解除されるため、プッシュスイッチ４１７における加算回路４１８と比較回路４１６の出力（検出信号ＴＲＧ）との接続が切断される。その結果、加算回路４１８への検出信号ＴＲＧの電圧の印加がなくなり、加算信号ＤＣａｄｄの電圧が０Ｖに低下する。加算信号ＤＣａｄｄの電圧の低下に伴い、ＤＣａｄｄ＜Ｖｒｅｆとなるため、比較回路４１６の出力が変化し、検出信号ＴＲＧがＴＲＧ＝ＨｉからＴＲＧ＝Ｌｏｗに変わる。
【００４２】
検出信号ＴＲＧの変化によって、高周波信号切替スイッチ４２１の接続が、ＴＲＧ＝Ｈｉ側である通信機器４５１側からＴＲＧ＝Ｌｏｗ側である整流回路４１４側へ切り替わる。このような動作により、近接カプラ４３１が通信シート４４１から離れると通信機器４５１と近接カプラ４３１との接続が切断される。すなわち、近接カプラ４３１は、通信シート４４１と接触している場合（図２のｔ１＜ｔ＜ｔ３）のみ、通信機器４５１からの高周波信号ＲＦｉｎを電磁波として放射することが可能となる。一方、近接カプラ４３１が通信シートに接していない場合（図２のｔ＜ｔ０、ｔ＞ｔ３）には、近接カプラは電磁波を放射できないため、不要な電磁波の発射が防止できる。従って、第１の実施形態の２次元通信システム４００は、不要な電磁波の放射を抑制することを可能にするという効果を奏する。
【００４３】
また、通信シート４４１とは異なる物体に近接カプラが接触した場合には、結合装置４１３と近接カプラ４３１との間で電磁波が伝搬できないので、図２の時刻ｔ＝ｔ０以降においても近接カプラ４３１は結合信号ＲＦｃｐｌを検出することができず、整流信号ＤＣｃｐｌの電圧は０Ｖのままとなる。その結果、ＤＣａｄｄの電圧も０Ｖのまま変化せず、検出信号ＴＲＧはＴＲＧ＝Ｌｏｗに固定される。従って、高周波信号切替スイッチ４２１は近接カプラ４３１と通信機器４５１とを接続しないので、近接カプラ４３１は高周波信号ＲＦｉｎを放射することがない。
【００４４】
なお、時刻ｔ＝ｔ３においてＴＲＧ＝Ｌｏｗとなることにより、結合信号切替スイッチ４１１は、結合装置４１３の接続先を終端抵抗側から通信機器４５１側へ切り替える。この状態は図２の時刻ｔ＝ｔ０以前の状態と同様であり、時刻ｔ＝ｔ３以降、近接カプラ４３１及び結合装置４１３が通信シートに再び接触することで、先に説明した時刻ｔ＝ｔ０以降の動作を繰り返すことができる。
【００４５】
また、第１の実施形態の２次元通信システム４００では、信号検出装置４０１は、自己が結合装置４１３から放射する電磁波を用いて近接カプラ４３１と通信シート４４１との接触の有無を検出する。すなわち、近接カプラ４３１と通信シート４４１との接触状態の検出は信号検出装置４０１自身で行うことができる。従って、通信シート４４１や対向する通信装置は、信号検出装置４０１が近接カプラ４３１と通信シート４４１との接触状態を検出するために信号を送受信する機能を備える必要がない。さらに、２次元通信システム４００では、結合装置４１３に入力される電磁波はアッテネータ４１２で減衰を受けているので、結合装置４１３から放射される電磁波の強度は通常の２次元通信における電磁波の強度よりも小さい。このため、もし信号検出装置４０１が通信シート４４１と離れていても、空間に放射される電磁波が周囲に与える影響は小さい。
（第２の実施形態）
図３は、本発明の第２の実施形態の信号検出装置の構成を示す図である。図３に示す信号検出装置３００は、第１のインタフェース３０１、第２のインタフェース３０２及びスイッチ３０３を備える。第１のインタフェース３０１は減衰器３０５を備え、入力された送信信号３０４を減衰させて電磁波として外部媒体（図示されない）に放射する。第２のインタフェース３０２は、外部媒体との間で電磁波を送受信する。そして、スイッチ３０３は、第１のインタフェース３０１から放射された送信信号３０４が外部媒体を経由して第２のインタフェース３０２で電磁波として受信された場合には、送信信号３０４が第２のインタフェース３０２に入力されるように接続する。信号検出装置３００は、第２のインタフェース３０２に入力された送信信号３０４を外部媒体に放射し、通信先との通信を開始する。
【００４６】
第１のインタフェース３０１から放射された送信信号３０４が外部媒体を経由して第２のインタフェース３０２で受信されると、信号検出装置３００は第１及び第２のインタフェース３０１、３０２が外部媒体を介して通信可能な状態にあると判断する。そして、信号検出装置３００は、スイッチ３０３における送信信号３０４の接続先を第１のインタフェース３０１から第２のインタフェース３０２に変更する。その結果、第２のインタフェース３０２に入力された送信信号３０４は外部媒体に向けて放射される。
【００４７】
このように、第２のインタフェース３０２は、外部媒体により電磁波が伝搬可能である場合にのみ送信信号３０４を放射する。すなわち、第２のインタフェース３０２は周囲に外部媒体がない場合には電磁波を放射しない。また、第１のインタフェース３０１から放射される送信信号３０４は減衰器３０５により減衰を受けているため、送信信号３０４を減衰させない場合と比較して電磁波の放射電力が抑制される。従って、信号検出装置３００は、不要な電磁波の放射を抑制することが可能であるという効果を奏する。
【００４８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００４９】
３００  信号検出装置
３０１  第１のインタフェース
３０２  第２のインタフェース
３０３  スイッチ
３０４  送信信号
３０５  減衰器
４００  ２次元通信システム
４０１  信号検出装置
４１１  結合信号切替スイッチ
４１２  アッテネータ
４１３  結合装置
４１４  整流回路
４１５  増幅回路
４１６  比較回路
４１７  プッシュスイッチ
４２１  高周波信号切替スイッチ
４３１  近接カプラ
４４１  通信シート
４５１  通信機器
【図１】
0005643256.tif 000002
【図２】
0005643256.tif 000003
【図３】
0005643256.tif 000004